(57)【要約】【課題】複数の機能を十分に発揮することが可能なブラシを提供する。【解決手段】ブラシ４１は、複数の第１繊維４５ａによって構成されるとともに略Ｕ字状の第１ブラシ部４５を複数有した第１ブラシ体４６と、第１繊維４５ａとは異なる複数の第２繊維４７ａによって構成されるとともに第１ブラシ部４５と同じ方向に延びる略Ｕ字状の第２ブラシ部４７を複数有した第２ブラシ体４８と、各ブラシ部４５，４７が延びる方向と直交する直交方向Ｘに沿って複数の各ブラシ部４５，４７が並列するとともに各ブラシ部４５，４７がそれぞれ少なくとも一部で重なるように各ブラシ体４６，４８を配置した状態で各ブラシ体４６，４８を連結する連結繊維４９とを備える。【選択図】図５
2015033448.tif 000002
【特許請求の範囲】
【請求項１】
複数の第１繊維によって構成されるとともに略Ｕ字状の第１ブラシ部を複数有した第１ブラシ体と、
前記第１繊維とは異なる複数の第２繊維によって構成されるとともに前記第１ブラシ部と同じ方向に延びる略Ｕ字状の第２ブラシ部を複数有した第２ブラシ体と、
前記第１ブラシ部及び前記第２ブラシ部が延びる方向と直交する直交方向に沿って前記複数の第１ブラシ部及び前記複数の第２ブラシ部が並列するとともに前記複数の第１ブラシ部と前記複数の第２ブラシ部とがそれぞれ少なくとも一部で重なるように前記第１ブラシ体と前記第２ブラシ体とを配置した状態で前記第１ブラシ体と前記第２ブラシ体とを連結する連結繊維と
を備えたことを特徴とするブラシ。
【請求項２】
前記第１ブラシ体と前記第２ブラシ体とは、層状をなすように重ねて配置されていることを特徴とする請求項１に記載のブラシ。
【請求項３】
前記第１ブラシ体と前記第２ブラシ体とは、前記複数の第１ブラシ部と前記複数の第２ブラシ部とが前記直交方向において交互に並列された状態で前記連結繊維によって連結されていることを特徴とする請求項１または請求項２に記載のブラシ。
【請求項４】
前記第１繊維と前記第２繊維とは、径が異なることを特徴とする請求項１〜請求項３のうちいずれか一項に記載のブラシ。
【請求項５】
前記第１繊維と前記第２繊維のうち、径が小さい方は導電性を有していることを特徴とする請求項４に記載のブラシ。
【請求項６】
前記第１繊維と前記第２繊維のうち、径が大きい方はポリアミド製であることを特徴とする請求項４または請求項５に記載のブラシ。
【請求項７】
前記第１ブラシ体と前記第２ブラシ体とは、高さが異なることを特徴とする請求項１〜請求項６のうちいずれか一項に記載のブラシ。
【請求項８】
前記第１ブラシ体における前記直交方向で隣り合う前記第１ブラシ部同士は、当該隣り合う第１ブラシ部同士間にループ部を形成するようにそれぞれ連結され、
前記第２ブラシ体における前記複数の第２ブラシ部同士は、互いに独立していることを特徴とする請求項１〜請求項７のうちいずれか一項に記載のブラシ。
【請求項９】
前記第１ブラシ体は、前記第２ブラシ体よりも高さが低いことを特徴とする請求項８に記載のブラシ。
【請求項１０】
前記第１ブラシ体と前記第２ブラシ体とは、複数の連結繊維によって、連結されていることを特徴とする請求項１〜請求項９のうちいずれか一項に記載のブラシ。
【発明の詳細な説明】
【技術分野】
【０００１】
本発明は、例えば、電気掃除機の本体部にホースを介して接続されたヘッド内に配設され、絨毯、畳、フローリング等の床面から塵埃を掻き上げるための電気掃除機用の回転ブラシや電子写真装置などに用いられるブラシに関する。
【背景技術】
【０００２】
一般に、電気掃除機は本体部と当該本体部にホースを介して接続された吸込具とを備えている。そして、この吸込具を絨毯、フローリング、畳等の床面上を移動させながら該吸込具の底面に設けられた吸込口からエアを吸引することにより、本体部内に塵埃が吸い込まれるように構成されている。
【０００３】
そして、近年では、例えば絨毯等のようにエアの吸引だけでは塵埃を吸い込みにくい床面に対する集塵能力を向上させるため、吸込具内に回転ブラシを設けたものが数多く見られるようになってきた。こうした回転ブラシとしては、従来、２つの機能を持たせるべく、回転体に構成の異なる２種類のブラシを２つずつ取り付けた構成のものが知られている（例えば、特許文献１）。
【先行技術文献】
【特許文献】
【０００４】
【特許文献１】特開２００４−２１６１３７号公報
【発明の概要】
【発明が解決しようとする課題】
【０００５】
ところで、特許文献１のような回転ブラシでは、２つの機能を持たせることができるものの、異なる機能を有するブラシを２種類用意しなければならないため、製造効率があまりよいものではなかった。このため、２つの機能を持たせるべく、例えば太さや材質の異なる２種類の糸を合糸した糸でブラシを製造すれば、用意するブラシは１種類になるが、合糸した２種類の糸同士が交じりあってしまうため、場合によっては合糸した２種類の糸のそれぞれの機能が十分に発揮されなくなるおそれがあるという問題がある。
【０００６】
本発明は、このような課題に着目してなされたものである。その目的とするところは、複数の機能を十分に発揮することが可能なブラシを提供することにある。
【課題を解決するための手段】
【０００７】
以下、上記課題を解決するための手段及びその作用効果について記載する。
上記課題を解決するブラシは、複数の第１繊維によって構成されるとともに略Ｕ字状の第１ブラシ部を複数有した第１ブラシ体と、前記第１繊維とは異なる複数の第２繊維によって構成されるとともに前記第１ブラシ部と同じ方向に延びる略Ｕ字状の第２ブラシ部を複数有した第２ブラシ体と、前記第１ブラシ部及び前記第２ブラシ部が延びる方向と直交する直交方向に沿って前記複数の第１ブラシ部及び前記複数の第２ブラシ部が並列するとともに前記複数の第１ブラシ部と前記複数の第２ブラシ部とがそれぞれ少なくとも一部で重なるように前記第１ブラシ体と前記第２ブラシ体とを配置した状態で前記第１ブラシ体と前記第２ブラシ体とを連結する連結繊維とを備えた。
【０００８】
この構成によれば、第１ブラシ体と第２ブラシ体とが連結繊維によって連結されるため、第１ブラシ体と第２ブラシ体とに異なる機能を持たせた場合でも、それぞれの機能を十分に発揮することが可能となる。すなわち、複数の機能を十分に発揮することが可能となる。
【０００９】
上記ブラシにおいて、前記第１ブラシ体と前記第２ブラシ体とは、層状をなすように重ねて配置されていることが好ましい。
この構成によれば、第１ブラシ体と第２ブラシ体とに異なる機能を持たせることで、一面側と他面側とで異なる機能を発揮することが可能となる。
【００１０】
上記ブラシにおいて、前記第１ブラシ体と前記第２ブラシ体とは、前記複数の第１ブラシ部と前記複数の第２ブラシ部とが前記直交方向において交互に並列された状態で前記連結繊維によって連結されていることが好ましい。
【００１１】
この構成によれば、第１ブラシ体の第１ブラシ部と第２ブラシ体の第２ブラシ部とがバランスよく配置されるので、第１ブラシ体と第２ブラシ体とに異なる機能を持たせた場合でも、それぞれの機能をバランスよく発揮することが可能となる。
【００１２】
上記ブラシにおいて、前記第１繊維と前記第２繊維とは、径が異なることが好ましい。
例えば、ブラシを電気掃除機用の回転ブラシに用いる場合には、ブラシの繊維径が小さいほど塵埃などの拭き取りに対する機能性が高くなる一方、ブラシの繊維径が大きくなるほど塵埃などの掻き取りに対する機能性が高くなる。この点、この構成によれば、ブラシに対して繊維径に特化した複数の機能を持たせることが可能となる。
【００１３】
上記ブラシにおいて、前記第１繊維と前記第２繊維のうち、径が小さい方は導電性を有していることが好ましい。
例えば、ブラシを電気掃除機用の回転ブラシに用いる場合、導電性を有する繊維には静電気が貯まりにくいので、ブラシで拭き取った塵埃などが静電気によってブラシに付着することが抑制される。この点、この構成によれば、例えば、ブラシで拭き取った塵埃などを電気掃除機で吸い込む際に、ブラシから塵埃などが容易にリリースされるようにすることが可能となる。
【００１４】
上記ブラシにおいて、前記第１繊維と前記第２繊維のうち、径が大きい方はポリアミド製であることが好ましい。
この構成によれば、ポリアミド繊維は耐摩耗性及び復元性に優れているため、ブラシを被接触物に対して摺動させて使用する場合には、ブラシにポリアミド繊維以外の例えばポリプロピレン繊維やポリエステル繊維などの他の繊維を用いる場合に比べてブラシの寿命を長くすることが可能となる。
【００１５】
上記ブラシにおいて、前記第１ブラシ体と前記第２ブラシ体とは、高さが異なることが好ましい。
この構成によれば、例えば、被接触物に対してブラシを軽く当てると第１ブラシ体及び第２ブラシ体のうちの高さが高い方のみが被接触物に接触し、被接触物に対してブラシを強く当てると第１ブラシ体及び第２ブラシ体の両方が被接触物に接触する。したがって、被接触物に対して、第１ブラシ体及び第２ブラシ体のうち、高さが高い方のみの機能を発揮させたり、両方の機能を発揮させたりすることが可能となる。
【００１６】
上記ブラシにおいて、前記第１ブラシ体における前記直交方向で隣り合う前記第１ブラシ部同士は、当該隣り合う第１ブラシ部同士間にループ部を形成するようにそれぞれ連結され、前記第２ブラシ体における前記複数の第２ブラシ部同士は、互いに独立していることが好ましい。
【００１７】
この構成によれば、例えば、ブラシを電気掃除機用の回転ブラシに用いる場合には、第１ブラシ体のループ部により塵埃などを効果的に掻き取るとともに、第２ブラシ体の直毛状の部分により塵埃などを拭き取ることが可能となる。
【００１８】
上記ブラシにおいて、前記第１ブラシ体は、前記第２ブラシ体よりも高さが低いことが好ましい。
この構成によれば、例えば、ブラシを電気掃除機用の回転ブラシに用いる場合には、ブラシが被清掃面対して軽く当てられると第２ブラシ体の直毛状の部分の機能が発揮される一方、ブラシが被清掃面対して強く当てられると特に第１ブラシ体のループ部の機能が発揮される。したがって、第１ブラシ体及び第２ブラシ体の両機能を効率的に発揮させることが可能となる。
【００１９】
上記ブラシにおいて、前記第１ブラシ体と前記第２ブラシ体とは、複数の連結繊維によって連結されていることが好ましい。
この構成によれば、第１ブラシ体と第２ブラシ体とを１つの連結繊維によって連結する場合に比べてより一層強固に連結することが可能となる。
【発明の効果】
【００２０】
本発明によれば、複数の機能を十分に発揮することができる。
【図面の簡単な説明】
【００２１】
【図１】一実施形態の電気掃除機のヘッドを示す断面模式図。
【図２】同電気掃除機のヘッドの使用状態を示す断面模式図。
【図３】同電気掃除機の回転ブラシを示す模式斜視図。
【図４】図３の側面拡大模式図。
【図５】同回転ブラシに用いられるブラシに基材を縫着したときの状態を示す模式斜視図。
【図６】同ブラシの平面模式図。
【図７】同ブラシを第２ブラシ体側から見たときの拡大模式図。
【図８】同ブラシを第１ブラシ体側から見たときの拡大模式図。
【図９】同ブラシの製造過程を示す拡大模式図。
【図１０】図６の１０−１０線矢視断面図。
【図１１】変更例のブラシを示す拡大模式図。
【図１２】変更例のブラシを示す拡大模式図。
【発明を実施するための形態】
【００２２】
以下、ブラシを電気掃除機用の回転ブラシに用いる場合の一実施形態を図面に基づいて説明する。
図１及び図２に示すように、床面Ｆ上の塵埃などを吸い込むための電気掃除機のヘッド１１は、平面視略Ｔ字状のケース１２を備えている。ケース１２の後端部には接続パイプ１３の一端側が該ケース１２に対して回動可能に接続される一方、接続パイプ１３の他端側は電気掃除機の本体部（図示略）に接続されている。ケース１２の底壁における前端側の位置には、左右方向に長い矩形状の吸込口１４が当該底壁を貫通するように形成されている。
【００２３】
ケース１２の内底面上には、矩形枠状をなす仕切板１５が吸込口１４を囲むように立設されている。仕切板１５を構成する後壁の中央部には、当該後壁を貫通するようにエア吸引口１６が形成されている。ケース１２の左内側面には、モータ軸受１７が設けられている。モータ軸受１７は、ケース１２内における仕切板１５の後方に設けられたモータ１８から延びるモータ軸１９の先端を回転可能に支持している。
【００２４】
仕切板１５の左右両側壁には、それぞれ回転支持体２０が設けられている。各回転支持体２０は、ケース１２の左右両内側面に設けられたブラシ軸受２１によってそれぞれ回転可能に支持されている。仕切板１５の内側には、左右方向に延びる回転軸線を中心に回転可能な回転ブラシ２２が収容されている。回転ブラシ２２の両端部は、各回転支持体２０によってそれぞれ支持されている。
【００２５】
また、左側の回転支持体２０とモータ軸１９に取着されたローラ１９ａとには、無端状のベルト２３が巻き掛けられている。そして、モータ１８の駆動により、モータ１８の回転駆動力が、モータ軸１９、ローラ１９ａ、ベルト２３、及び左側の回転支持体２０を介して回転ブラシ２２に伝達される。
【００２６】
次に、回転ブラシ２２の構成について詳述する。
図３及び図４に示すように、回転ブラシ２２は、断面視略Ｘ字状をなす略丸棒状の回転体３１と、回転体３１に取着された４つのブラシ部材３２とを備えている。回転体３１は、４つの断面視略Ｔ字状をなす突条３１ａの基端部同士をこれらの突条３１ａが回転体３１の周方向に沿って等間隔に配置されるように一体に連結し、さらにその全体にわたって周方向に約１８０度捻ったような形状をなしている。
【００２７】
したがって、回転体３１の周面には、回転体３１の周方向に隣り合う突条３１ａ同士の間に螺旋状をなす４本の凹溝３３が形成される。これら４本の凹溝３３は、回転体３１の周方向へ等間隔の配置態様となるように回転体３１の一方の端面から他方の端面にわたって延びている。そして、これらの凹溝３３内にブラシ部材３２が１つずつ装着される。なお、各凹溝３３の開口部３３ａは、各突条３１ａの先端部に備えられた突片３１ｂによってそれぞれ狭められている。
【００２８】
次に、ブラシ部材３２の構成について詳述する。
図５に示すように、ブラシ部材３２は、長尺状の基材４０と、基材４０に接合される帯状のブラシ４１とを備えている。基材４０は、熱可塑性の合成樹脂（本実施形態では、ポリアミド）を押出成形することによって形成されている。基材４０は、回転体３１の凹溝３３（図４参照）に挿入して係止するための帯状をなす係止部４２と、帯状のブラシ４１の幅方向の一端部を挟持するために係止部４２に設けられた挟持部４３とを備えている。
【００２９】
挟持部４３は、係止部４２上に係止部４２の幅方向において対向するように立設された一対の帯状をなす挟持片４３ａによって構成されている。両挟持片４３ａは、ブラシ４１の幅方向の一端部を挟持した状態で、１本の縫製糸４４によりブラシ４１に縫着されている。なお、図４及び図５に示すように、基材４０の幅方向における係止部４２の幅は、回転体３１の凹溝３３の開口部３３ａの幅よりも大きくなっている。
【００３０】
そして、図４及び図５に示すように、回転体３１にブラシ部材３２を取り付ける場合には、ブラシ４１が凹溝３３の開口部３３ａから外側へ突出するように、回転体３１の端部から各凹溝３３内に基材４０の係止部４２をスライド挿入する。すると、基材４０（ブラシ部材３２）は、適度な剛性と弾性とを有しているため、各凹溝３３に沿って螺旋状に捻れた状態で回転体３１に容易に装着される。
【００３１】
図５及び図６に示すように、ブラシ４１は、複数の略Ｕ字状の第１ブラシ部４５を有した第１ブラシ体４６と、第１ブラシ部４５と同じ方向に延びる複数の略Ｕ字状の第２ブラシ部４７を有した第２ブラシ体４８と、第１ブラシ体４６と第２ブラシ体４８とを層状をなすように重ねて配置した状態で連結する複数の連結繊維４９とを備えている。
【００３２】
第１ブラシ部４５は、多数（複数）本のモノフィラメントである極太の第１繊維４５ａを束ねて略Ｕ字状にした繊維束によって構成されている。第２ブラシ部４７は、多数（複数）本よりなるマルチフィラメントである極細の第２繊維４７ａを略Ｕ字状にした繊維束によって構成されている。第１ブラシ部４５と第２ブラシ部４７とは、同じ方向に延びている。また、第１ブラシ体４６と第２ブラシ体４８とは、各ブラシ部４５，４７が延びる方向を高さ方向とした場合の高さが同じになっている。
【００３３】
そして、図７及び図８に示すように、ブラシ４１は、各ブラシ部４５，４７が延びる方向と直交する直交方向Ｘに沿って複数の第１ブラシ部４５と複数の第２ブラシ部４７とがそれぞれ重なりつつ交互に並列するように各ブラシ体４６，４８を配置した状態で各ブラシ体４６，４８を複数の連結繊維４９によって連結した構成になっている。
【００３４】
図５及び図６に示すように、第１繊維４５ａとしては、ポリアミド繊維、レーヨン繊維、キュプラ繊維、アクリル繊維、ポリプロピレン繊維、ポリエステル繊維などを採用することができる。本実施形態における第１繊維４５ａには、繊維径が１００マイクロメートルの白色のポリアミド繊維が採用されている。ポリアミド繊維は、耐摩耗性及び復元性に優れているため、本用途に好適である。
【００３５】
第２繊維４７ａとしては、炭素繊維、炭素を練り込んだ合成樹脂繊維などの導電性を有する繊維を採用することができる。本実施形態における第２繊維４７ａには、繊維径が６マイクロメートルの黒色の炭素繊維が採用されている。したがって、本実施形態では、導電性を有する第２繊維４７ａの繊維径は、導電性を有さない第１繊維４５ａの繊維径よりも小さくなっている。
【００３６】
また、連結繊維４９は、各ブラシ体４６，４８において毛羽状の先端側とは反対側の基端側の複数位置（本実施形態では３位置）で各ブラシ体４６，４８に巻き付く複数（本実施形態では３本）の連結繊維４９ａ，４９ｂ，４９ｃによって構成されている。各連結繊維４９ａ，４９ｂ，４９ｃは、独立した経編み構造により各ブラシ体４６，４８をそれぞれ拘束しており、各々連続した１本の糸によって構成されている。
【００３７】
つまり、連結繊維４９ａ，４９ｂ，４９ｃは、ブラシ４１の幅方向の基端部において、各ブラシ部４５，４７が延びる方向に順次隣接するように、ブラシ４１の長手方向に沿って互いに平行となるように延びている。この場合、順次隣接するように配置された連結繊維４９ａ，４９ｂ，４９ｃによって、両挟持片４３ａ（図５参照）と対向する壁が作られた状態となる。
【００３８】
各連結繊維４９（４９ａ，４９ｂ，４９ｃ）は、耐久性及び柔軟性が高い繊維により形成される。このような条件を満たす繊維としては、レーヨン繊維、キュプラ繊維、ポリエステル繊維、ポリアミド繊維、アクリル繊維、ポリプロピレン繊維などが挙げられる。本実施形態における連結繊維４９には、ポリエステル繊維が採用されている。
【００３９】
図９に示すように、ブラシ４１を製造する場合には、まず、長尺の各ブラシ体４６，４８を層状に重ねるようにして蛇行状に編み、それぞれの両側の各湾曲部分４６ａ，４８ａよりも幅方向内側の複数位置を互いに平行に延びる複数（この場合は、６本）の連結繊維４９でそれぞれ編む。その後、幅方向の中央を切断する（図９中の矢印に沿って切断する）ことによってブラシ４１が同時に２つ形成される。
【００４０】
そして、このようにして形成されたブラシ４１は、図示しない塗布装置を用いて、連結繊維４９ａが巻き付いた位置から湾曲部分４６ａ，４８ａまでの一定幅領域に接着機能を有する合成樹脂材料５０（図１０参照）が塗布される。すなわち、ブラシ４１の各ブラシ体４６，４８における両挟持片４３ａ（図５参照）によって挟持される部分において各ブラシ体４６，４８を構成する多数（複数）の各繊維４５ａ，４７ａ同士の間に接着機能を有する合成樹脂材料５０（図１０参照）がそれぞれ含浸される。
【００４１】
すると、図１０に示すように、合成樹脂材料５０が各ブラシ体４６，４８を構成する多数の各繊維４５ａ，４７ａ同士の間にそれぞれ万遍なく浸透して固化することで、合成樹脂材料５０の接着機能により、各ブラシ体４６，４８を構成する多数の各繊維４５ａ，４７ａが集まって束ねられた状態に固められる。
【００４２】
なお、本実施形態における合成樹脂材料５０としては、例えばアクリル樹脂エマルジョン、ウレタン樹脂エマルジョン、酢酸ビニル樹脂エマルジョンなどの水溶性の合成樹脂材料が好ましく、各ブラシ体４６，４８を構成する各繊維４５ａ，４７ａとの相性などを考慮して適宜選択される。
【００４３】
そして、図５に示すように、ブラシ部材３２を形成する場合には、まず、基材４０の両挟持片４３ａ間に、ブラシ４１の幅方向における連結繊維４９側の端部（基端部）を挿入する。すると、ブラシ４１の連結繊維４９が両挟持片４３ａによって挟持される。このとき、ブラシ４１の連結繊維４９（４９ａ，４９ｂ，４９ｃ）は両挟持片４３ａと対向する壁を作っているため、連結繊維４９と両挟持片４３ａとが安定して接触した状態となる。
【００４４】
この状態で、図示しない工業用ミシンを用いて、縫製糸４４により、両挟持片４３ａと、連結繊維４９及び各ブラシ体４６，４８の湾曲部分４６ａ，４８ａ側の端部（基端部）とを縫着する。すなわち、両挟持片４３ａ（挟持部４３）は、縫製糸４４により、連結繊維４９が位置する部分においてブラシ４１に縫着（接合）される。これにより、図５に示すブラシ部材３２が得られる。
【００４５】
次に、回転ブラシ２２の作用について説明する。
さて、電気掃除機を使用するときには、図２に示すように、まず、ヘッド１１を床面Ｆ上に載せる。この状態で電気掃除機を稼動させると、モータ１８が駆動されるとともに、仕切板１５の内側のエアがエア吸引口１６を通り、接続パイプ１３を介して電気掃除機の本体部（図示略）内に吸引される。
【００４６】
このとき、モータ１８の駆動に連動して回転ブラシ２２が左側から見て反時計方向（図中の矢印で示す方向）に回転されるとともに、回転ブラシ２２のブラシ４１が床面Ｆに摺接される。このとき、回転ブラシ２２における各ブラシ４１は、繊維径が１００マイクロメートルのポリアミド繊維によって形成された第１ブラシ体４６と繊維径が６マイクロメートルの炭素繊維によって形成された第２ブラシ体４８とが層状に重ねられた構成であり、床面Ｆに摺接して撓んだ際に床面Ｆに当たる側が第２ブラシ体４８となるように配置されている。
【００４７】
このため、ブラシ４１は、比較的細くて軟らかい第２繊維４７ａによって構成された第２ブラシ体４８が床面Ｆに摺接して撓みながら床面Ｆ上の比較的細かい塵埃などを拭き取るとともに、比較的太くて硬い第１繊維４５ａによって構成された第１ブラシ体４６が第２ブラシ体４８を支えながら床面Ｆ上の比較的大きい塵埃などを掻き取る。すなわち、ブラシ４１は、第２ブラシ体４８による床面Ｆ上の塵埃などの拭き取り機能を発揮するとともに、第１ブラシ体４６による床面Ｆ上の塵埃などの掻き取り機能を発揮する。そして、ブラシ４１によって拭き取られたり掻き取られたりした床面Ｆ上の塵埃は、エアとともに電気掃除機の本体部（図示略）内に吸引される。
【００４８】
このように、ブラシ４１は、第１ブラシ体４６と第２ブラシ体４８とが層状に重ねられた構成であるため、第１ブラシ体４６及び第２ブラシ体４８のそれぞれの機能を個別に発揮することができる。すなわち、ブラシ４１は、床面Ｆ上の塵埃などに対して拭き取る機能と掻き取る機能とを同時に十分に発揮することができる。
【００４９】
以上詳述した実施形態によれば次のような効果が発揮される。
（１）ブラシ４１は、比較的太くて硬い第１繊維４５ａによって構成されて床面Ｆ上の塵埃などの掻き取り機能を有する第１ブラシ体４６と、比較的細くて軟らかい第２繊維４７ａによって構成されて床面Ｆ上の塵埃などの拭き取り機能を有する第２ブラシ体４８とが連結繊維４９によって連結された構成になっている。このため、第１ブラシ体４６及び第２ブラシ体４８のそれぞれの機能を同時に十分に発揮させることができる。すなわち、ブラシ４１は、床面Ｆ上の塵埃などの掻き取り機能及び拭き取り機能の２つの機能を十分に発揮することができる。
【００５０】
（２）ブラシ４１は、第１ブラシ体４６と第２ブラシ体４８とが層状をなすように重ねて配置されている。このため、第１ブラシ体４６側の面で床面Ｆ上の塵埃などの掻き取り機能を発揮させることができるとともに、第２ブラシ体４８側の面で床面Ｆ上の塵埃などの拭き取り機能を発揮させることができる。
【００５１】
（３）ブラシ４１において、第１ブラシ体４６と第２ブラシ体４８とは、複数の第１ブラシ部４５と複数の第２ブラシ部４７とが直交方向Ｘにおいて交互に並列された状態で連結繊維４９によって連結されている。このため、第１ブラシ体４６の第１ブラシ部４５と第２ブラシ体４８の第２ブラシ部４７とがバランスよく配置されるので、第１ブラシ体４６による床面Ｆ上の塵埃などの掻き取り機能と、第２ブラシ体４８による床面Ｆ上の塵埃などの拭き取り機能とをそれぞれバランスよく発揮させることができる。
【００５２】
（４）ブラシ４１において、第１繊維４５ａと第２繊維４７ａとは径が異なっている。すなわち、第１ブラシ体４６を構成する第１繊維４５ａは、第２ブラシ体４８を構成する第２繊維４７ａよりも径が大きくなっている。このため、ブラシ４１に対して繊維径に特化した２つの機能を持たせることができる。すなわち、ブラシ４１において、第１ブラシ体４６に床面Ｆ上の塵埃などの掻き取り機能を持たせることができるとともに、第２ブラシ体４８に床面Ｆ上の塵埃などの拭き取り機能を持たせることができる。
【００５３】
（５）ブラシ４１において、第１繊維４５ａに比べて径が小さい第２繊維４７ａは、導電性を有する炭素繊維によって構成されている。このため、第２繊維４７ａには静電気が貯まりにくいので、第２ブラシ体４８で拭き取った塵埃などが静電気によって第２ブラシ体４８に付着することを抑制できる。このため、第２ブラシ体４８で拭き取った塵埃などを電気掃除機で吸い込む際に、第２ブラシ体４８から塵埃などが容易にリリースされるようにすることができる。
【００５４】
（６）ブラシ４１において、第２繊維４７ａに比べて径が大きい第１繊維４５ａは、耐摩耗性及び復元性に優れたポリアミド繊維によって構成されている。このため、ブラシ４１を上記実施形態のように床面Ｆに対して摺動させて使用する場合には、第１繊維４５ａにポリアミド繊維以外の例えばポリプロピレン繊維やポリエステル繊維などの他の繊維を用いる場合に比べてブラシ４１の寿命を長くすることができる。
【００５５】
（７）ブラシ４１は、第１ブラシ体４６と第２ブラシ体４８とが３本の連結繊維４９によって連結されている。このため、第１ブラシ体４６と第２ブラシ体４８とを１対の連結繊維４９によって連結する場合に比べて、より一層強固に連結することができる。
【００５６】
（変更例）
なお、上記実施形態は、次のように変更して具体化することも可能である。
・ブラシ４１において、第１ブラシ体４６と第２ブラシ体４８とは、各ブラシ部４５，４７が延びる方向を高さ方向とした場合の高さが異なるようにしてもよい。例えば、図１１に示すように、第１ブラシ体４６の高さを第２ブラシ体４８の高さよりも低くなるようにしてもよい。あるいは、第１ブラシ体４６の高さを第２ブラシ体４８の高さよりも高くなるようにしてもよい。
【００５７】
このように、第１ブラシ体４６と第２ブラシ体４８との高さを異ならせるようにすると、床面Ｆに対してブラシ４１を軽く当てることで第１ブラシ体４６及び第２ブラシ体４８のうちの高さが高い方のみが床面Ｆに接触し、床面Ｆに対してブラシ４１を強く当てることで第１ブラシ体４６及び第２ブラシ体４８の両方が床面Ｆに接触する。したがって、床面Ｆに対して、第１ブラシ体４６及び第２ブラシ体４８のうち、高さが高い方のみの機能を発揮させたり、両方の機能を発揮させたりすることができる。
【００５８】
・図１２に示すように、ブラシ４１において、第１ブラシ体４６における直交方向Ｘで隣り合う第１ブラシ部４５同士を当該隣り合う第１ブラシ部４５同士間にループ部５１を形成するようにそれぞれ連結し、第２ブラシ体４８における複数の第２ブラシ部４７同士は互いに連結させずに独立させるようにしてもよい。このようにすれば、第１ブラシ体４６のループ部５１により床面Ｆ上の塵埃などを効果的に掻き取ることができるとともに、第２ブラシ体４８の直毛状の部分により床面Ｆ上の塵埃などを拭き取ることができる。
【００５９】
さらに、この場合、図１２に示すブラシ４１において、第１ブラシ体４６の高さを第２ブラシ体４８の高さよりも低くなるようにしてもよい。このようにすれば、ブラシ４１を床面Ｆ対して軽く当てることで第２ブラシ体４８の直毛状の部分により床面Ｆ上の塵埃などの拭き取り機能を発揮させることができるとともに、ブラシ４１を床面Ｆ対して強く当てることで特に第１ブラシ体４６のループ部５１により床面Ｆ上の塵埃などの掻き取り機能を効果的に発揮させることができる。したがって、第１ブラシ体４６のループ部５１による床面Ｆ上の塵埃などの掻き取り機能及び第２ブラシ体４８の直毛状の部分による床面Ｆ上の塵埃などの拭き取り機能の両機能を効率的に発揮させることができる。
【００６０】
・上記図１２のブラシ４１において、第１ブラシ体４６の高さを第２ブラシ体４８の高さよりも高くなるようにしてもよいし、第１ブラシ体４６の高さと第２ブラシ体４８の高さとを同じにしてもよい。
【００６１】
・ブラシ４１において、各ブラシ体４６，４８にさらにブラシ体を積層することで、ブラシ体を３層以上の構成にしてもよい。この場合、各ブラシ体の高さは、適宜変更することができ、例えば、高さが互いに異なるようにしてもよいし、高さが互いに同じになるようにしてもよい。さらにこの場合、各ブラシ体における連結繊維４９側とは反対側である先端側に、適宜ループ部を形成するようにしてもよい。
【００６２】
・連結繊維４９の数は、３本に限らず適宜変更してもよい。例えば、連結繊維４９の数を、１本や２本にしてもよいし、４本以上にしてもよい。
・連結繊維４９（４９ａ，４９ｂ，４９ｃ）同士は、接触するように配置してもよいし、離間するように配置してもよい。
【００６３】
・ブラシ４１において、第２繊維４７ａに比べて径が大きい第１繊維４５ａは、必ずしもポリアミド繊維によって構成する必要はない。
・ブラシ４１において、第１繊維４５ａに比べて径が小さい第２繊維４７ａは、必ずしも炭素繊維によって構成する必要はない。この場合、第２繊維４７ａは、必ずしも導電性を有する必要はない。
【００６４】
・ブラシ４１において、第１繊維４５ａの径を第２繊維４７ａの径よりも小さくしてもよいし、第１繊維４５ａと第２繊維４７ａとの径を同じにしてもよい。
・ブラシ４１において、第１ブラシ体４６と第２ブラシ体４８とは、複数の第１ブラシ部４５と複数の第２ブラシ部４７とが必ずしも直交方向Ｘにおいて交互に並列された状態で連結繊維４９によって連結される必要はない。例えば、ブラシ４１において、第１ブラシ体４６と第２ブラシ体４８とは、複数の第１ブラシ部４５と複数の第２ブラシ部４７とがそれぞれ全部が重なった状態で連結繊維４９によって連結されるようにしてもよい。
【００６５】
・ブラシ４１は、第１ブラシ体４６と第２ブラシ体４８とが必ずしも層状をなすように重ねて配置されている必要はない。例えば、第１ブラシ体４６と第２ブラシ体４８とが層状をなさずに部分的にずれた状態で重ねて配置されていてもよい。
【００６６】
・ブラシ４１と基材４０とは、必ずしも縫着によって接合する必要はなく、例えば、溶着、接着剤による接着、両面テープによる粘着などによって接合するようにしてもよい。
・ブラシ４１と基材４０とを複数本の縫製糸４４によって縫着するようにしてもよい。
【００６７】
・ブラシ４１は、エアコンや換気扇などのフィルタを清掃したり、画像形成装置内の感光ドラムに付着したトナーを掻き取ったりするためのクリーニングブラシとして用いてもよい。この場合、ブラシ４１は、必ずしも回転させて使用する必要はなく、対象物に摺接させた状態で直線的に移動させて使用するようにしてもよい。
【００６８】
・ブラシ４１は、画像形成装置内の感光ドラムを帯電させるための帯電ブラシや、同感光ドラムを除電するための除電ブラシとして用いてもよい。
さらに、上記実施形態より把握できる技術的思想について以下に記載する。
【００６９】
（イ）床面上の塵埃を吸い込むためのヘッド内に回転可能に収容された回転体と、前記回転体に取着されるブラシ部材とを備え、前記ヘッドが前記床面上を移動する際に、前記回転体を回転させながら前記ブラシ部材を前記床面に接触させるように構成された電気掃除機用の回転ブラシであって、前記ブラシ部材は、請求項１〜請求項１０のうちいずれか一項に記載のブラシと、前記連結繊維を覆うように前記ブラシの一部を挟持した状態で前記ブラシに接合される挟持部を有するとともに前記回転体に取着可能な基材とによって構成されていることを特徴とする電気掃除機用の回転ブラシ。
【符号の説明】
【００７０】
４１…ブラシ、４５…第１ブラシ部、４５ａ…第１繊維、４６…第１ブラシ体、４７…第２ブラシ部、４７ａ…第２繊維、４８…第２ブラシ体、４９，４９ａ，４９ｂ，４９ｃ…連結繊維、５１…ループ部、Ｘ…直交方向。
【図１】
2015033448.tif 000003
【図２】
2015033448.tif 000004
【図３】
2015033448.tif 000005
【図４】
2015033448.tif 000006
【図５】
2015033448.tif 000007
【図６】
2015033448.tif 000008
【図７】
2015033448.tif 000009
【図８】
2015033448.tif 000010
【図９】
2015033448.tif 000011
【図１０】
2015033448.tif 000012
【図１１】
2015033448.tif 000013
【図１２】
2015033448.tif 000014